(57)【要約】【課題】誰でも簡単に所望の調理メニューの選択や調理設定ができる構成とした調理器を提供すること。【解決手段】調理物を収納するオーブン本体５と、調理物を出し入れするためのドア部６と、ドア部６には、調理メニュー領域、調理温度設定領域や調理時間設定領域等の調理の設定操作を行うための表示を施したガラス部７と、調理の設定操作を検出するセンサ部１６，１７とを備え、ガラス部７の表示と前記センサ部１６，１７の信号に基づき調理の設定操作を解読するための制御部１８とから構成としているので、ユーザーは、ガラス面に表示されている調理メニューや調理温度設定や調理時間設定領域等を直接触るだけで、センサ部１６，１７と制御部１８とによりにより操作内容を解読する構成としているので、所望の設定が誰にでも簡単にできる。【選択図】図１
2006118730.tif 000002
【特許請求の範囲】
【請求項１】
調理物を収納するオーブン本体と、調理物を出し入れするためのドア部と、前記ドア部に配置された、調理メニュー領域、調理温度設定領域や調理時間設定領域等の調理の設定操作を行うための表示を施したガラス部と、調理の設定操作を検出するセンサ部と、前記ガラス部の表示と前記センサ部の信号に基づき調理の設定操作を解読するための制御部とから構成した調理器。
【請求項２】
センサ部は、ガラス部の周囲に設けた発光ダイオードと、前記発光ダイオードと対抗する位置に設けたフォトセンサから構成した請求項１に記載の調理器。
【請求項３】
制御部は、発光ダイオードとフォトセンサを逐次走査により検出する構成とした請求項２に記載の調理器。
【発明の詳細な説明】
【技術分野】
【０００１】
本発明は、調理器のドアに付属するガラス面上に調理メニューや調理時間設定や調理温度表示等の調理設定に必要な操作を表示し、このガラス面上で調理設定を可能にすることにより操作性を向上させた調理器に関するものである。
【背景技術】
【０００２】
近年の調理器は、電子レンジ機能、解凍機能、オーブン機能、グリル機能、スチーム機能等あらゆる機能が一つ調理器に集約搭載される方向にある。また、赤外線センサ、重量センサ、湿度センサ等の搭載により様々な調理の自動化が開発されている。一方、ユーザー視点で考えると、機能や自動調理が充実して便利になってきている反面、機器の操作が非常に複雑化してきており、使い勝手が悪く使いこなせていない状況にある。
【０００３】
従来、この種の調理器は、ドットタイプの液晶ディスプレイと透明タッチパネルを搭載し、表示を階層構造化し多くの調理メニューや調理条件を表示させるようにしている（例えば、特許文献１参照）。また、現在多く使用されている方法として操作パネルやドアの前面に番号を付記したメニュー一覧を表示し、番号で選択させているものもある。
【０００４】
図６に、従来例１として特許文献１に記載された調理器のコントロールパネルを示す。図６に示すように、操作パネル１上に、調理ジャンルを選択する複数個のジャンルキー２と、キー操作に伴いメニューや調理法を対話形式で階層的に表示するディスプレイ３と、ディスプレイ３の表示内容を選択する複数個の選択キー４とから構成されている。
【０００５】
図７に、従来例１の調理器の操作表示を示す。例えば自動メニューの“さんまの塩焼き”を選択する場合について説明する。ステップ１としてジャンル選択キー２から“自動”キーを押す。そうするとディスプレイ３にジャンルが表示される。ステップ２として、このジャンルの中からディスプレイ３に表示される“惣菜（焼）”に対応した横の選択キー４を押すと次に惣菜メニューが表示される。ステップ３として、この惣菜メニューの中から“焼き魚”に対応した横の選択キー４を押すと“焼き魚”メニューが表示される。ステップ４として、この焼き魚メニューより所望の“さんまの塩焼き”を選択する。ステップ５としてスタートということになる。
【０００６】
図８は、従来例２の電子レンジを示すものである。図８に示すように、オーブン本体５と、調理物の出し入れを行うドア６とドアに付属するガラス７と、ドアガラスに印刷され、番号を付記した自動調理メニュー群８と、調理設定操作を行う操作部９から構成されている。操作部９は、メニュー選択を行うメニュー選択キー１０、調理温度を設定するための温度設定手段１１と、調理時間を設定するための時間設定手段１２と、自動調理メニューを選択する自動メニューキー１３と、上記選択設定状態や調理進行状態を表示するための表示部１４から構成されている。自動調理メニュー群から所望のメニューを選択するためには、例えばトーストを選択する場合、自動メニューキー１３を３回押すとにより表示部１４に“自動３”と表示される。次にスタート“ということになる。
【特許文献１】特開平１０−４７６８４号公報
【発明の開示】
【発明が解決しようとする課題】
【０００７】
しかしながら、前記従来例１の構成では、メニュー選択からスタートをするまでに設定操作が上記の通り５つのステップが必要となり非常に操作勝手が悪いという課題がある。また、表示が階層構造であるため、所望メニューがどこにあるのか全くわからないため、料理本で調べなければ分からないという課題を有していた。
【０００８】
また、前記従来例２の構成では、ドア前面の自動調理メニュー群から所望のメニューを選択するために、メニュー対応する番号を自動メニューキーを複数回押すことにより合わせる必要である。初めて操作する人にとっては、操作そのものが理解できない可能性があり操作勝手が非常に悪いという課題がある。
【０００９】
何れの従来例においても、操作勝手が非常に複雑で、誰でもが簡単に使用できないという課題を有していた。
【００１０】
本発明は、前記従来の課題を解決するもので、誰でも簡単に所望の調理メニューの選択や調理設定ができる構成とした調理器を提供することを目的とする。
【課題を解決するための手段】
【００１１】
前記従来の課題を解決するために、本発明の調理器は、調理物を収納するオーブン本体と、調理物を出し入れするためのドア部と、前記ドア部には、調理メニュー領域、調理温度設定領域や調理時間設定領域等の調理の設定操作を行うための表示を施したガラス部と、調理の設定操作を検出するセンサ部とを備え、前記ガラス部の表示と前記センサ部の信号に基づき調理の設定操作を解読するための制御部とから構成としたものである。
【００１２】
これによって、ガラス面に表示されている調理メニューや調理温度設定や調理時間設定領域等をユーザーが触ると、センサにより触れられた領域を検出し、制御部により何が選択されたかを検出することが可能となり、ユーザーは、ガラス部をダイレクトに触れるだけで所望の設定をすることができる。
【発明の効果】
【００１３】
本発明の調理器は、ユーザーは、ガラス面に表示されている調理メニューや調理温度設定や調理時間設定領域等をダイレクトに触ることにより所望の選択ができる構成としているので、誰にでも簡単に調理の設定操作ができる。
【発明を実施するための最良の形態】
【００１４】
第１の発明は、調理物を収納するオーブン本体と、調理物を出し入れするためのドア部と、前記ドア部には、調理メニュー領域、調理温度設定領域や調理時間設定領域等の調理の設定操作を行うための表示を施したガラス部と、調理の設定操作を検出するセンサ部とを備え、前記ガラス部の表示と前記センサ部の信号に基づき調理の設定操作を解読するための制御部とから構成とすることにより、ガラス面に表示されている調理メニューや調理温度設定や調理時間設定領域等をユーザーが触ると、センサにより触れられた領域を検出し、制御部により何が選択されたかを検出することが可能となり、ユーザーは、ガラス部をダイレクトに触れるだけで所望の設定をすることができる。
【００１５】
第２の発明は、特に、第１の発明のセンサ部をガラス部の周囲に設けた発光ダイオードと、この発光ダイオードと対抗する位置に設けたフォトセンサから構成することにより、ドア部のガラス部全面に操作部表示を構成することが可能となり、多くの情報を複雑な構成にすることなく、分かり易い簡単操作が実現できる。
【００１６】
第３の発明は、特に、第２の発明の制御部を、発光ダイオードとフォトセンサを逐次走査により検出する構成とすることにより、省電力でガラス部全面の検出が可能となり、温度上昇を低減できるという効果がある。
【００１７】
以下、本発明の実施の形態について、図面を参照しながら説明する。なお、この実施の形態によって本発明が限定されるものではない。
【００１８】
（実施の形態１）
図１は、本発明の第１の実施の形態における調理器の外観図を示すものである。
【００１９】
図１において、電子レンジを事例に説明する。基本構成として、調理物を収納するオーブン本体５と、調理物の出し入れを行うドア部６とドア部６に付属するガラス部７と調理基本操作を行う操作部９から構成されている。上記ガラス部７には、自動調理メニュー群８と、あたための調理調理設定を行うために３０℃〜８０℃までのあたため温度設定操作群１５が印刷されている。また、ガラス部７の周囲には、赤外線を発する複数の発光ダイオード１６とこの複数の発光ダイオード１６のそれぞれに対向して設けられた光の有無を検出する複数のフォトトランジスタ１７とが配置されている。操作部９は、メニュー選択を行うメニュー選択キー１０、オーブン調理温度を設定するための温度設定手段１１と、調理時間を設定するための時間設定手段１２と、上記選択設定状態や調理進行状態を表示するための表示部１４から構成されている。また、図示していなが制御部に関しては、オーブン本体５の機械室に構成されており、センサの信号を受信する構成としている。
【００２０】
図２にガラス部７の周囲に構成しているセンサ構成図を示す。発光ダイオード１６は、ｘ０１、ｘ０２・・およびｙ０１、ｙ０２・・に配置し、またフォトトランジスタ１７は、発光ダイオードに対抗する位置にｘｉ１、ｘｉ２・・およびｙｉ１、ｙｉ２・・を配置し、ガラス平面全体を検出できるように構成している。たとえば、図示している“解凍”の操作領域は、フォトトランジスタ１７のｘｉ６〜ｘｉ９とｙｉ４、ｙｉ５で囲まれた領域をユーザーが触れると検出されるということになる。
【００２１】
図３は、センサ信号を検出するための制御部１８を示している。この制御部は、発光ダイオードを駆動するための駆動回路１６−１と、センサ信号を受信するための受信回路１７−２と、この駆動回路および受信回路を制御するマイコン１９から構成されている。また、同様に駆動回路１６−２、受信回路１７−２のように複数個設けることによりガラス部全体を検出できるようにしている。
【００２２】
図４にマイコンによるセンサ信号のタイミングチャートを示す。上述の様に駆動回路および受信回路は複数個あり、発光ダイオードにＤＣ電圧を加えると電力的に非常に不経済的であり、また、ドア部はかなり高温になるため温度上昇が問題となる。これらの問題を解消するために、図示のとおり、発光ダイオードの信号ｘｏ１、ｘｏ２は、周期的なパルス信号として逐次走査とする。一方受信回路の信号は、ｘｉ１、ｘｉ２のように駆動信号に同期して検出するようにしている。
【００２３】
以上のように構成された調理器について、以下その動作、作用を説明する。
【００２４】
まず、ドア部のガラス部に設けられた調理メニューや調理温度設定をユーザーが触ると周囲に取り付けられた発光ダイオードの光が遮断されフォトセンサにその遮断された信号が入力される。この信号は制御部に送信され、どこの領域すなわち何の表示を押されたか検出することができることになる。
【００２５】
以上のように、本実施の形態においてはドア部に付属するガラス面に操作内容を表示することにより、ユーザーは、ガラス面をダイレクトに触ることにより所望の選択ができ、分かり易く誰にでも簡単に操作ができるようになる。
【００２６】
また、本実施の形態では、センサに発光ダイオードとフォトセンサにより構成したが、静電容量式あるいは表面弾性波等により構成することも可能であり、同様にドア部に付属するガラス面に操作内容を表示することにより、ユーザーは、ガラス面をダイレクトに触ることにより所望の選択ができ、分かり易く誰にでも簡単に操作ができることになる。
【００２７】
（実施の形態２）
図２は、本発明の第２の実施の形態の調理器の外観図である。基本構成として、調理物を収納するオーブン本体５と、調理物の出し入れを行うドア部６とドア部６に付属するガラス部７とから構成されている。上記ガラス部７には、自動調理メニュー群８と、あたための調理調理設定を行うために３０℃〜８０℃までのあたため温度設定操作群１５とメニュー選択を行うメニュー選択キー１０と、オーブン調理温度を設定するための温度設定手段１１と、調理時間を設定するための時間設定手段１２とが印刷されている。この温度設定手１１と時間設定手段１２は、タッチ操作できるようにタップ式としている。そして、上記選択設定状態や調理進行状態を表示するための表示部１４がガラス背面に構成されている。また、ガラス部７の周囲には、赤外線を発する発光ダイオード１６と光の有無を検出するフォトトランジスタ１７とが配置されている。
【００２８】
実施の形態１と同様に、ユーザーは、ガラス面をダイレクトに触ることにより所望の選択ができ、分かり易く誰にでも簡単に操作ができることになる。また、さらに別構成の操作部が不要となり大幅なコスト削減の効果がある。
【産業上の利用可能性】
【００２９】
以上のように、本発明にかかる調理器は、ドア部に付属するガラス面に操作内容を表示することにより、ユーザーは、ガラス面をダイレクトに触ることにより所望の選択ができ、分かり易く誰にでも簡単に操作ができるようになるので、電子レンジやＩＨ調理器、洗濯機等の用途にも適用できる。
【図面の簡単な説明】
【００３０】
【図１】本発明の実施の形態１における調理器の外観図
【図２】本発明の実施の形態１における調理器のセンサ構成図
【図３】本発明の実施の形態１における調理器の制御部のブロック図
【図４】本発明の実施の形態１における調理器のタイミングチャート
【図５】本発明の実施の形態２における調理器の外観図
【図６】従来例１の調理器のコントロールパネルの概略図
【図７】従来例１の調理器の操作表示の説明図
【図８】従来例２の調理器の外観図
【符号の説明】
【００３１】
５  オーブン本体
６  ドア部
７  ガラス部
１６  発光ダイオード（センサ部）
１７  フォトトランジスタ（センサ部）
１８  制御部
【図２】
2006118730.tif 000003
【図３】
2006118730.tif 000004
【図４】
2006118730.tif 000005
【図６】
2006118730.tif 000006
【図７】
2006118730.tif 000007
【図１】
2006118730.tif 000008
【図５】
2006118730.tif 000009
【図８】
2006118730.tif 000010